(57)【要約】【課題】木製の屋根下地であっても堅牢で積雪荷重に耐えるとともに施工性が良く、しかもフラットでデザイン性に優れる軒先構造を提供する。【解決手段】フラット屋根における軒先部分の構造であって、桁側に向って水平にのびる角材からなり、複数本が桁行き方向に隔設されるとともに外壁から外にのびて軒を形成する垂木と、前記桁側の軒先端部で桁行き方向に水平にのび、かつ前記垂木の先端面に当接して垂木の軒先端部の間を連続して繋ぐ前面垂木と、垂木先端部に前面垂木を固着する軒先補強材とを含み、軒先補強材は、垂木の前端部を両側から挟み込んで強固に固着する挟着部と、前面垂木の二面に当接することにより該前面垂木を安定して支持するＬ字状の段部とを有することを特徴とする。【選択図】図３
2007146487.tif 000002
【特許請求の範囲】
【請求項１】
フラット屋根における軒先部分の構造であって、
桁側に向って水平にのびる角材からなり、複数本が桁行き方向に隔設されるとともに外壁から外にのびて軒を形成する垂木と、前記桁側の軒先端部で桁行き方向に水平にのび、かつ前記垂木の先端面に当接して垂木の軒先端部の間を連続して繋ぐ前面垂木と、垂木先端部に前面垂木を固着する軒先補強材とを含み、
軒先補強材は、垂木の前端部を両側から挟み込んで強固に固着する挟着部と、前面垂木の二面に当接することにより該前面垂木を安定して支持するＬ字状の段部とを有することを特徴とする軒先構造。
【請求項２】
前記軒先補強材は、直方体状をなしその側面が垂木の方向に沿って配される角駒と、この角駒の両側面に添設される一対の挟着板とからなり、
前記角駒は、両側面間の巾が前記垂木の巾と略同大に形成され、
前記一対の挟着板は、角駒の両側面に各々固着される基片及び各基片の軒内側から立ち上がる取付片が形成されて、各々の挟着板は略Ｌ字状をなし、
前記一対の挟着板により垂木を隙間なく挟持しうる挟着部を構成するとともに、基片の上縁と取付片の軒先前方縁とで前面垂木を受ける前記段部を構成することを特徴とする請求項１記載の軒先構造。
【請求項３】
前記角駒の軒先側の端面は、前面垂木の軒先側の表面と整一に構成されるとともに、角駒及び前面垂木の軒先側に鼻板が添設され、
前記鼻板が、角駒と前面垂木との双方に各々固着されることにより、垂木、前面垂木、鼻板及び軒先補強材が強固に一体化されることを特徴とする請求項１又は２記載の軒先構造。
【請求項４】
前記鼻板は、前面垂木よりも上方にのびて屋根仕上げ面の更に上に突出する立上部が形成され、
前記立上部を含んで、鼻板の前面に軒先化粧部材が取り付けられることを特徴とする請求項３記載の軒先構造。
【請求項５】
前記軒先化粧部材は、下位よりも上位が先方に突出する、桁行き方向に連続した庇状部を有することを特徴とする請求項４記載の軒先構造。
【請求項６】
前記鼻板は、その下端部裏面に沿い桁行き方向にのびる軒天下地材が固着され、
前記軒天下地材に軒天井板の前端部が固着されることを特徴とする請求項３〜５のいずれかに記載の軒先構造。
【発明の詳細な説明】
【技術分野】
【０００１】
本発明は、フラット屋根において、シンプルな構造でありながら、多雪地域の積雪荷重にも安定して支持しうる堅牢な軒先構造に関する。
【背景技術】
【０００２】
スノーダクト工法などのフラット屋根は、図１０に示すように、軒先の先端部分において、氷結作用により巾Ｗ、高さＨの雪塊が形成されて、片持ち構造の軒先に大きな荷重Ｐがかかるため、木製の屋根下地構造では、強度が不足しがちである。
【０００３】
そのため、図１１に示すように、フラット屋根の軒先部に、積雪を防止するため急勾配の屋根面ａを設けた屋根庇ｂを形成することにより、軒先部分の積雪を滑落させて積雪荷重を軽減する工法が採用されている（例えば、特許文献１参照）。
【０００４】
【特許文献１】特開平６−３４６５４２号公報
【発明の開示】
【発明が解決しようとする課題】
【０００５】
しかしながら、フラット屋根部分から独立して屋根庇ｂを構築するため、施工に手間がかかり、また構造的に分離した屋根庇ｂは軒先に対する吹き上げ風荷重に耐えうる強度が求められるために、高剛性の部材を使用するとともに、強い取付手段が必要となりコストが嵩むという問題がある。さらには、軒先部分で屋根庇ｂが大きく突出するために、全体のデザインバランスが崩れがちとなり、要求される屋根意匠が得られないこともある。
【０００６】
本発明は、垂木の前端部を両側から挟み込んで固着する挟着部と、前面垂木を安定して支持するＬ字状の段部とを有するを基本とし、木製の屋根下地であっても堅牢で積雪荷重に耐えるとともに施工性が良く、しかもフラットでデザイン性に優れる軒先構造の提供を課題としている。
【課題を解決するための手段】
【０００７】
前記目的を達成するために本発明の軒先構造は、桁側に向って水平にのびる角材からなり、複数本が桁行き方向に隔設されるとともに外壁から外にのびて軒を形成する垂木と、前記桁側の軒先端部で桁行き方向に水平にのび、かつ前記垂木の先端面に当接して垂木の軒先端部の間を連続して繋ぐ前面垂木と、垂木先端部に前面垂木を固着する軒先補強材とを含み、軒先補強材は、垂木の前端部を両側から挟み込んで強固に固着する挟着部と、前面垂木の二面に当接することにより該前面垂木を安定して支持するＬ字状の段部とを有することを特徴とする。
【０００８】
また前記軒先補強材は、直方体状をなしその側面が垂木の方向に沿って配される角駒と、この角駒の両側面に添設される一対の挟着板とからなり、前記角駒は、両側面間の巾が前記垂木の巾と略同大に形成され、前記一対の挟着板は、角駒の両側面に各々固着される基片及び各基片の軒内側から立ち上がる取付片が形成されて、各々の挟着板は略Ｌ字状をなし、前記一対の挟着板により垂木を隙間なく挟持しうる挟着部を構成するとともに、基片の上縁と取付片の軒先前方縁とで前面垂木を受ける前記段部を構成することもできる。
【０００９】
また前記角駒の軒先側の端面は、前面垂木の軒先側の表面と整一に構成されるとともに、角駒及び前面垂木の軒先側に鼻板が添設され、前記鼻板が、角駒と前面垂木との双方に各々固着されることにより、垂木、前面垂木、鼻板及び軒先補強材が強固に一体化することもでき、或いは、前記鼻板は、前面垂木よりも上方にのびて屋根仕上げ面の更に上に突出する立上部が形成され、前記立上部を含んで、鼻板の前面に軒先化粧部材が取り付けることもできる。
【００１０】
更には前記軒先化粧部材に、下位よりも上位が先方に突出する、桁行き方向に連続した庇状部を設け、或いは前記鼻板の下端部裏面に沿い桁行き方向にのびる軒天下地材が固着され、前記軒天下地材に軒天井板の前端部を固着することもできる。
【発明の効果】
【００１１】
本発明の軒先構造は、軒先部分が垂木と前面垂木を接合一体化させる軒先補強材によって強化されて、堅固な構造となるため、木製の屋根下地であっても、積雪荷重に充分耐えうる剛性を持った軒先が構築できる。その結果例えば、屋根荷重条件が厳しい積雪地域のフラット屋根においても、木製の下地構成を用いて、短工期と比較的安価なコストにより、フラットでスマートな形状の軒先を設けることができる。また軒先補強材の挟着部と段部を用い、垂木の軒先端部と前面垂木を簡単な施工で接合でき、しかも一つの軒先補強材を用いて構成したシンプルな接合構造であるため、納まりが良い。
【００１２】
また垂木の巾と略同大に形成される角駒の両側面に添設された挟着板で垂木を挟着すると、垂木が緩みなく強固に支持されるとともに基片の上縁と取付片の軒先前方縁とで形成される段部によって、前面垂木が安定して支持されるため、前面垂木が隔設された複数の垂木の前端を繋ぎつつ、強固に一体化され、過酷な積雪荷重に対しても、充分に耐えうる堅牢な軒先部の下地が構成される。
【００１３】
また整一に構成された角駒及び前面垂木の軒先側に添設された鼻板を、角駒と前面垂木との双方に各々固着すると、垂木、前面垂木、鼻板及び軒先補強材が強固に一体化された、堅固な軒先が構成できる。しかも鼻板の表面側から固着具を打ち込むとことにより接合するため、作業性にも優れる。
【００１４】
また屋根仕上げ面の上に突出する立上部を含め、鼻板の前面に軒先化粧部材を取り付けると、構造上薄く形成された軒先の外観に厚みが出て外観が向上するとともに、屋根面外周の立ち上がりにより、例えばスノーダクト屋根の防水処理の納まりが良くなる。
【００１５】
また軒先化粧部材に桁行き方向に連続した庇状部を設けると、意匠性が向上するとともに軒先端部への雪の巻付きを抑制できる。或いは鼻板の下端部裏面に固着した軒天下地材に軒天井板の前端部を固着すると、鼻板に対して軒天井板を含めた各軒先構成部材が各々固着されるため、一体化された堅牢な軒先構造が構築できる。
【発明を実施するための最良の形態】
【００１６】
以下、本発明の実施の一形態を、図示例とともに説明する。図１に示すように、本発明の軒先構造１は、スノーダクト工法などのフラット屋根の軒先部分に採用される構造であり、桁側に向って水平にのびる垂木２と、前記垂木２の軒先端部の間を連続して繋ぐ前面垂木３と、垂木２先端部に前面垂木３を固着する軒先補強材４とを具える。なお本明細書において、垂木２とは、略水平にのびる長尺材であって、複数本が平行に隔設されてフラット屋根の屋根下地板２１を支持するものをいう。また桁側とは、屋根面において前記垂木２の先端が終端する側をいう。
【００１７】
前記垂木２は、断面矩形状をなし、高さが例えば１０５ｍｍ程度、巾が５５ｍｍ程度の角材が用いられる。そして図１、２に示すように、軒桁２２、母屋（図示せず）などの上に載置固定されるとともに、複数本が平行に隔設されて、屋根下地板２１を支持している。また垂木２は、外壁Ｇから外にのびて形成され、この部分によって、屋根周囲に軒を形成している。なお垂木２の配設ピッチは、例えば、３００〜９００ｍｍ程度、本形態では４５５ｍｍ程度としている。
【００１８】
本形態の垂木２は、その位置が妻側に向かって僅かずつ高くなるように取り付けられ、これにより屋根面に屋根面中央の樋（図示せず）に向かう１／１００程度の水勾配が形成されている。更に本形態では、図２に示すように、垂木２の下部に台形の屋根勾配材２４を介装することにより、前記水勾配を設けている。
【００１９】
前記前面垂木３は、桁行き方向に水平のびる長尺材からなり、桁側の軒先端部に配置されるとともに、前記垂木２の先端面に当接しつて垂木２の軒先端部の間を連続して繋いでいる。本形態の前面垂木３は、図２、４に示すように、断面縦長矩形状の角材が用いられ、しかも前記垂木２を同高さに形成されたものが例示されている。そして、前記の如く垂木２の先端面の当接するとともに、斜め釘２５ａを前面垂木３の両側から垂木２に向けて打ち込むとともに、前面垂木３を貫通する釘２５ｂを垂木２端面に打ち込むことにより、垂木２に前面垂木３を固着している。
【００２０】
垂木２、及び前面垂木３は、杉、松、樅、栂などの針葉樹、およびナラ、チーク、ラワンなどの広葉樹を含む無垢木材、或いは集成材、ＬＶＬ（単板積層材）などの木質加工棒材が用いられ、また前記屋根下地板２１は合板、パーティクルボード、インシュレーションボード、ＭＤＦ（中密度繊維板）などの木質加工板材が用いられる。そしてこの屋根下地板２１の上には、ポリエチレンフォーム、ポリスチレンフォーム、硬質ウレタンフォーム、発泡フェノールなどの断熱材２６が敷設される。
【００２１】
前記軒先補強材４は、図４に示すように、角駒７と、この角駒７の両側面に添設される一対の挟着板８、８とからなる。前記角駒７は、縦に長い直方体状をなす。そして角駒７の側面は、前記垂木２の方向に沿って配置されるとともに、両側面間の巾Ｄ１が前記垂木２の巾Ｗ１と略同じ大きさに形成される。
【００２２】
前記挟着板８は、横長矩形状をなすとともに前記角駒７と同高さを有する基片９と、この基片９の軒内側から一定巾で一体に立ち上がる矩形状の取付片１０とからなり略Ｌ字状をなす。そして一対の基片９、９を、各々角駒７の両側面に固着することにより、前記取付片１０、１０は、角駒７の両側から互いに平行に向き合って立ち上がり、挟着部５を形成し、かつ他方前記基片９の上縁及び角駒７の上面と、取付片の軒先前方縁とによりＬ字状の段部６が形成される。
【００２３】
前記の如く、垂木２と前面垂木３とがＴ字状に固着された連結部に対し、図４に示すように、軒先補強材４が下方から上に向けて挿入される。しかして、一対の取付片１０、１０からな挟着部５は、垂木２の前端部を両側から隙間なく挟み込み、かつ図５に示すように、ビス２７を取付片１０、１０両側から垂木２に向けて打ち込むことにより強固に固着され、これにより垂木２及び軒先補強材４が一体化する。しかも前面垂木３は、その下面及び軒内側の側面の二面が前記段部６に当接し、安定した状態で支持される。
【００２４】
なお本形態の軒先補強材４は、図６に示すように、垂木２と前面垂木３の連結部に対して、一つ飛ばしで配置して軒先に必要な強度を確保するよう構成している。しかし、必要強度に応じて、全ての連結部に連続して軒先補強材４を装着してもよく、逆に二つ飛ばしに配置することもできる。更に図示されない釘打ち又は接着剤により、前面垂木３と軒先補強材４とを固着すると、接合強度が一層向上する点で好ましい。
【００２５】
本形態では、図３に示すように、角駒７及び前面垂木３の軒先側に鼻板１１が添設される。この鼻板１１は、桁行きにのびる帯板状をなし、その上部は前面垂木３よりも上方にのびて屋根仕上げ面の上に突出する立上部１２が形成される。他方その下端部は、軒先補強材４より下にのびる垂下部２８が形成される。そして鼻板１１は、図３に示すように、角駒７及び前面垂木３に対して各々ビスなどの固着具２９を用いて固着される。そのため、垂木２、前面垂木３、鼻板１１及び軒先補強材４が一体化して堅牢な軒先が構成できる。しかも前記固着具２９は鼻板１１の表面側から打ち込んで固着作業を行なうため、作業能率に優れる点で好ましい。なお鼻板１１は、構造用合板、ＭＤＦ（中密度繊維板）、ＬＶＬ（単板積層材）、針葉樹、広葉樹を含む無垢木材など、比較的剛性の高い木質材料を用いて構成される。
【００２６】
しかも、垂木２の巾と略同大の角駒７の両側面に添設されて、垂木２の巾と同寸の間隔で向き合う挟着板８により形成される挟着部５で垂木を挟着するため、軒先補強材４は垂木２に緩むことなく強固に固着される。同時に挟着板８の基片９の上縁、及び取付片１０の軒先前方縁により形成される段部６に前面垂木３が安定して支持される。従って、前面垂木３が、軒先補強材４を介して、隔設された垂木２の前端を繋ぎつつ、垂木２と強固に一体化され、多雪地域の過大な積雪荷重に充分に耐えうる堅牢な軒先を構成できる。
【００２７】
前記鼻板１１は、立上部１２を含んでその前面に、軒先化粧部材１３が取り付けられる。本形態の軒先化粧部材１３は、上下に複数に分割して構成され、更に横方向にのびる凹凸模様が形成される。前記軒先化粧部材１３は、ポリエチレン樹脂、ポリプロピレン樹脂、ポリスチレン樹脂、ＡＢＳ樹脂、ポリエチレンテレフタレート（ＰＥＴ）などの熱可塑性樹脂を押し出し成形して形成される。或いは炭素鋼、ステンレス鋼、合金鋼を含む鉄鋼材料、或いはアルミニウム、真鍮、銅、チタンなどの金属材料を用いて形成することもできる。このように、立上部１２を含めた鼻板１１の前面を軒先化粧部材１３で被覆すると、木製下地を防水できるとともに、構造的には薄く構成された軒先の外観に厚みを持たせて外観が向上する。
【００２８】
また本形態の軒先化粧部材１３には、鼻板１１の上部に外側へ階段状に突出して設けられた段下地３０の上を覆うことにより、下位よりも突出して桁行き方向に連続する庇状部１４が設けられる。この庇状部１４によって、軒先部の外観に変化が付加されるため意匠性が更に向上し、また軒の先端部においける雪の巻付きを抑制できる点で好ましい。
【００２９】
そして、前記軒先化粧部材１３の上端部からは、前記鼻板１１の軒内側の側面及び屋根面に向かい連続する防水シート３９が敷設され、前記断熱材２６の上面が防水されるとともに屋根仕上げ面が形成される。このように、本形態では、前記鼻板１１の立上部１２によって屋根仕上げ面の外周に立ち上げが形成されるため、スノーダクト屋根及びシート屋根の防水の納まりが良くなる点で好ましい。
【００３０】
前記鼻板１１下部の垂下部２８は、図３に示すように、軒内面に沿って桁行き方向にのびる軒天下地材１５が固着される。この軒天下地材１５は、水平な角棒状をなし、前記軒先補強材４の下面に沿って配置され、鼻板１１の表面側から打ち込まれるドリルビス４０によりに固着される。そしてこの軒天下地材１５に、軒天野縁３１の前端部が固着されるとともに、この軒天野縁３１に対して軒天井板１６が取り付けられる。本形態では、軒天井板１６の前端部を支持する軒天下地材１５が鼻板１１の垂下部２８に固着されるため、軒天井板１６を含めた各軒先構成部材が各々鼻板１１に固着され、その結果鼻板１１を介して一体化される堅固な軒先構造が構築される。
【００３１】
叙上のごとく本発明の軒先構造１は、垂木２と前面垂木３とを接合一体化する軒先補強材４によって、軒先下地が強化されて堅牢な構造が構成されるため、たとえ屋根下地が木製部材をによる構造であっても、積雪荷重を充分支持できる強度を持った軒先を構築できる。従って、多雪地域におけるフラット屋根においても、短期間で比較的低コストに工事できる木製下地を用いて、しかもフラット状のスマートな外観の軒先を構築できる。またその工事は、挟着部５、段部６を有する軒先補強材４を用いて標準化できるとともに、接合部材として、軒先補強材４のみを使用する簡単な構成であるため、納まりが良く、施工性にも優れる。
【００３２】
図７は、図１のＢ−Ｂ断面を示すもので、桁側に構築される本発明の軒先構造１に対して、これと直行する妻側の軒先の構造を示している。そしてこの妻側の軒先は、鋼製の屋根梁３２の上部にボルト３３を用いて固着されて、外壁からそとにのびる鋼製の片持ち梁３４を下地として安定した強度の軒先が構築されている。即ち、片持ち梁３４の上には、軒先に向けて高さが漸増するテーパ状をなす屋根勾配材３５を介して、前記垂木２が隔設され、その上に屋根下地板２１が取り付けられる。そして軒先部においては、図８、９に示すように、前記片持ち梁３４、３４の先端間に木製の軒先継ぎ材３６が架け渡される。この軒先継ぎ材３６は、端部下部に設けた切欠部３７を片持ち梁３４の下フランジに載置するとともに、上フランジとの間にスペーサー３８を打ち込んで固定される。そして図７に示すように、片持ち梁３４の前端部に鼻板１１を固着し、更にその外側に桁側と同じ軒先化粧部材１３を取り付けることにより、前記桁側と連続した形状の軒先が構成される。  
【００３３】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３４】
【図１】本発明の一実施の形態を例示する平面図である。
【図２】そのＡ−Ａ断面図である。
【図３】その要部拡大図である。
【図４】その要部分解斜視図である。
【図５】その異なる角度から見た要部斜視図である。
【図６】更に異なる角度から見た要部斜視図である。
【図７】図１のＢ−Ｂ断面図である。
【図８】そのその要部拡大図である。
【図９】その要部分解斜視図である。
【図１０】軒先の積雪状態を説明する略図である。
【図１１】従来例を示す断面図である。
【符号の説明】
【００３５】
１      軒先構造
２      垂木
３      前面垂木
４      軒先補強材
５      挟着部
６      段部
７      角駒
８      挟着板
９      基片
１０      取付片
１１      鼻板
１２      立上部
１３      軒先化粧部材
１４      庇状部
１５      軒天下地材
１６      軒天井板
【図１】
2007146487.tif 000003
【図２】
2007146487.tif 000004
【図３】
2007146487.tif 000005
【図４】
2007146487.tif 000006
【図５】
2007146487.tif 000007
【図６】
2007146487.tif 000008
【図７】
2007146487.tif 000009
【図８】
2007146487.tif 000010
【図９】
2007146487.tif 000011
【図１０】
2007146487.tif 000012
【図１１】
2007146487.tif 000013